(57)【要約】【課題】低い放電開始電圧と高い効率を同時に実現することができるプラズマディスプレイパネルを提供する。【解決手段】背面基板１０及び前面基板２０と，蛍光体層２９と，背面基板１０の第１方向に形成されるアドレス電極１２と，背面基板１０にアドレス電極１２と絶縁されて第１方向と交差する第２方向に形成される第１電極１５及び第２電極１６と，を備え，第１電極１５及び第２電極１６は，第１部分１５ａ，１６ａ及びの第１部分１５ａ，１６ａを第２方向に連結する第２部分１５ｂ，１６ｂを有し，第１電極１５の第１部分１５ａと第２電極１６の第１部分１６ａとが，放電セル２８内で離隔し，対向して形成され，第１部分１５ａ，１６ａの前面基板２０側の端部を第２方向に測定した長さと，第１部分１５ａ，１６ａの背面基板１０側の端部を第２方向に測定した長さが相違することを特徴とする。【選択図】図１
2006147562.tif 000002
【特許請求の範囲】
【請求項１】
所定間隔を有して対向配置され，相互の空間が複数の放電セルに区画される第１基板及び第２基板と；
前記各放電セル内に形成される蛍光体層と；
前記第１基板に第１方向に伸びて形成されるアドレス電極と；
前記第１基板に，前記アドレス電極と電気的に絶縁されて，前記各放電セルに各々対応し，前記第１方向と交差する第２方向に伸びて形成される第１電極及び第２電極と；
を備え，
前記第１電極及び前記第２電極は，各々，前記各放電セルの放電空間に対応する第１部分，及び前記各放電セルの前記第１部分を前記第２方向に連結する第２部分を有し，
前記第１電極の前記第１部分と，前記第２電極の前記第１部分とが，前記各放電セル内で離隔し，対向して形成され，
前記第１電極及び前記第２電極において，前記第１部分の前記第２基板側の端部を前記第２方向に測定した長さと，前記第１部分の前記第１基板側の端部を前記第２方向に測定した長さが相違することを特徴とする，プラズマディスプレイパネル。
【請求項２】
前記第１部分の前記第２基板側の端部を前記第２方向に測定した長さより，前記第１部分の前記第１基板側の端部を前記第２方向に測定した長さが大きく形成されることを特徴とする，請求項１に記載のプラズマディスプレイパネル。
【請求項３】
前記第１部分の前記第２基板側の端部を前記第２方向に測定した長さより，前記第１部分の前記第１基板側の端部を前記第２方向に測定した長さが小さく形成されることを特徴とする，請求項１に記載のプラズマディスプレイパネル。
【請求項４】
前記第１部分の前記第２基板側の端部より，前記第１部分の前記第１基板側の端部が前記各放電セルの内部に長く突出して形成されることを特徴とする，請求項１〜３のいずれかに記載のプラズマディスプレイパネル。
【請求項５】
所定間隔を有して対向配置され，相互の空間が複数の放電セルに区画される第１基板及び第２基板と；
前記各放電セル内に形成される蛍光体層と；
前記第１基板に第１方向に伸びて形成されるアドレス電極と；
前記第１基板に，前記アドレス電極と電気的に絶縁されて，前記各放電セルに各々対応し，前記第１方向と交差する第２方向に伸びて形成される第１電極及び第２電極と；
を備え，
前記第１電極及び前記第２電極は，各々，前記各放電セルの放電空間に対応する第１部分，及び前記各放電セルの前記第１部分を前記第２方向に連結する第２部分を有し，
前記第１電極の前記第１部分と，前記第２電極の前記第１部分とが，前記各放電セル内で離隔し，対向して形成され，
前記第１電極及び前記第２電極において，前記第１部分は，前記第１方向または前記第２方向のいずれか一方向に測定した長さが相違なる電極層が複数積層されて形成されることを特徴とする，プラズマディスプレイパネル。
【請求項６】
前記第１部分の電極層を前記第２方向に測定した長さは，前記第２基板側の電極層から前記第１基板側の電極層に行くほど段階的に大きくなることを特徴とする，請求項５に記載のプラズマディスプレイパネル。
【請求項７】
前記第１部分の電極層を前記第２方向に測定した長さは，前記第２基板側の電極層から前記第１基板側の電極層に行くほど段階的に小さくなることを特徴とする，請求項５に記載のプラズマディスプレイパネル。
【請求項８】
前記第１部分は，前記第２基板側の電極層から前記第１基板側の電極層に行くほど前記各放電セルの内部に段階的に長く突出していることを特徴とする，請求項５〜７のいずれかに記載のプラズマディスプレイパネル。
【請求項９】
前記第１部分の電極層を前記第１基板と平行に切った断面の面積は，前記第２基板側の電極層の断面積より，前記第１基板側の電極層の断面積が広く形成されることを特徴とする，請求項５に記載のプラズマディスプレイパネル。
【請求項１０】
前記第２部分は，前記各放電セルの前記第１部分の前記第２基板側の電極層を前記第２方向に連結することを特徴とする，請求項５〜９のいずれかに記載のプラズマディスプレイパネル。
【請求項１１】
前記第２部分は，前記各放電セルの前記第１部分の前記第１基板側の電極層を前記第２方向に連結することを特徴とする，請求項５〜９のいずれかに記載のプラズマディスプレイパネル。
【請求項１２】
前記第１基板に，前記アドレス電極を覆うように形成される第１誘電層と，前記第１電極及び前記第２電極を取り囲み，前記第１電極と第２電極との間に空間を形成する第２誘電層とをさらに備えることを特徴とする，請求項５〜１１のいずれかに記載のプラズマディスプレイパネル。
【請求項１３】
前記第２誘電層は，前記第１電極及び前記第２電極を取り囲んで前記第２方向に連続して形成されることを特徴とする，請求項１２に記載のプラズマディスプレイパネル。
【請求項１４】
前記第２誘電層は，
前記第１電極及び前記第２電極を取り囲んで前記第２方向に形成される第１誘電層部と；
前記第１方向に形成される第２誘電層部と；
を有することを特徴とする，請求項１２に記載のプラズマディスプレイパネル。
【請求項１５】
前記第１電極または前記第２電極の少なくともいずれかは，前記第１方向に隣り合う一対の放電セルに共有されることを特徴とする，請求項５〜１４のいずれかに記載のプラズマディスプレイパネル。
【請求項１６】
前記第１電極及び前記第２電極は，前記第１方向に隣り合う一対の放電セルに共有され，前記第１電極と前記第２電極とが前記第１方向に交互に配置されることを特徴とする，請求項１５に記載のプラズマディスプレイパネル。
【請求項１７】
前記第１電極及び前記第２電極と，前記第２基板との間に隔壁が位置し，複数の前記放電セルを区画することを特徴とする，請求項５〜１６のいずれかに記載のプラズマディスプレイパネル。
【請求項１８】
前記第２基板に，前記隔壁に対応して黒色層が形成されることを特徴とする，請求項１７に記載のプラズマディスプレイパネル。
【請求項１９】
前記蛍光体層は，前記第２基板側に形成されることを特徴とする，請求項５〜１８のいずれかに記載のプラズマディスプレイパネル。
【請求項２０】
前記アドレス電極は，前記第１電極と前記第２電極との間の空間に対応して前記第２方向に拡張する突出部を有することを特徴とする，請求項５〜１９のいずれかに記載のプラズマディスプレイパネル。
【発明の詳細な説明】
【技術分野】
【０００１】
本発明はプラズマディスプレイパネルに係り，放電開始電圧を低減し，効率を高めることのできるプラズマディスプレイパネルに関するものである。
【背景技術】
【０００２】
一般に，プラズマディスプレイパネル（ｐｌａｓｍａ  ｄｉｓｐｌａｙ  ｐａｎｅｌ：ＰＤＰ）は，気体放電によって形成されたプラズマから放射される真空紫外線（ｖａｃｕｕｍ  ｕｌｔｒａｖｉｏｌｅｔ：ＶＵＶ）が蛍光体を励起させることにより発生される可視光を用いて映像を具現するディスプレイ素子である。このようなプラズマディスプレイパネルは，高解像度の大画面構成が可能であるので，次世代薄型表示装置として脚光を浴びている。
【０００３】
プラズマディスプレイパネルの一般的な構造は３電極面放電型構造である。３電極面放電型構造のプラズマディスプレイパネルは，二つの電極からなる表示電極が形成される前面基板と，前記前面基板から所定の距離だけ離隔され，アドレス電極が形成される背面基板とを含む。そして，両基板間の空間は隔壁によって多数の放電セルに区画され，各放電セル内には背面基板側に蛍光体層が形成され，放電ガスが注入される。
【０００４】
この際，放電の有無は，表示電極のなかで一つの電極とこれに対向するアドレス電極との間でのアドレス放電によって決定され，輝度を表示する維持放電は，同一面上に位置した表示電極によってなされる。すなわち，従来のプラズマディスプレイパネルにおいて，アドレス放電は対向放電によって，維持放電は面放電によって誘導される。
【０００５】
表示電極とアドレス電極との間の距離は表示電極間の距離より大きく形成されるが，アドレス放電の放電開始電圧は維持放電の放電開始電圧より小さな値を有する。これは，アドレス放電が対向放電によって誘導されるため，面放電によって誘導される維持放電より小さな放電開始電圧を有するためである。したがって，維持放電を対向放電に誘導することができるプラズマディスプレイパネルであれは，従来のプラズマディスプレイパネルより高い効率を有することができることが分かる。
【０００６】
一方，プラズマディスプレイパネルで起こる放電によって，放電空間はシース（ｓｈｅａｔｈ）領域と陽光柱（ｐｏｓｉｔｉｖｅ  ｃｏｌｕｍｎ）領域に分けられる。シース領域は，電極または誘電層の周囲で電極または誘電層を取り囲むように形成される非発光領域で，電圧の大部分が消耗する領域であり，陽光柱領域は，非常に小さな電圧でプラズマ放電を活発に起こすことができる領域をいう。したがって，プラズマディスプレイパネルの効率を高めるためには，陽光柱領域を増やすことが重要である。シース領域の長さは放電ギャップと関係ないので，陽光柱領域を増やすための一方法として，放電の長さを増加させる（放電電極の間隔を長くする）方法がある。
【発明の開示】
【発明が解決しようとする課題】
【０００７】
しかし，放電の長さを増加させるために放電ギャップを大きくすることは，放電開始電圧を上昇させる問題があり，従来のプラズマディスプレイパネルにおいては，低い放電開始電圧と高い効率とを同時に実現することができない問題があった。
【０００８】
そこで，本発明は，このような問題に鑑みてなされたもので，その目的とするところは，放電開始電圧を低減させつつ，効率を向上させることができるプラズマディスプレイパネルを提供することにある。
【課題を解決するための手段】
【０００９】
上記課題を解決するために，本発明のある観点によれば，所定間隔を有して対向配置され，相互の空間が複数の放電セルに区画される第１基板及び第２基板と，各放電セル内に形成される蛍光体層と，第１基板に第１方向に伸びて形成されるアドレス電極と，第１基板に，アドレス電極と電気的に絶縁されて，各放電セルに各々対応し，第１方向と交差する第２方向に伸びて形成される第１電極及び第２電極と，を備え，第１電極及び第２電極は，各々，各放電セルの放電空間に対応する第１部分，及び各放電セルの第１部分を第２方向に連結する第２部分を有し，第１電極の第１部分と，第２電極の第１部分とが，各放電セル内で離隔し，対向して形成され，第１電極及び第２電極において，第１部分の第２基板側の端部を第２方向に測定した長さと，第１部分の第１基板側の端部を第２方向に測定した長さが相違することを特徴とする，プラズマディスプレイパネルが提供される。
【００１０】
このように，表示電極である第１電極及び第２電極を，各放電セル内で対向して形成して表示電極間で発生する維持放電を対向放電に誘導することにより，放電開始電圧を低減させることができるとともに，第１電極及び第２電極は第１部分及び第２部分を有して，第１部分の第２基板側の端部を第２方向に測定した長さと，第１基板側の端部を第２方向に測定した長さとが相違するようにしたことにより，さらに放電開始電圧を低減させるか，またはプラズマディスプレイパネルの効率を向上させることができる。
【００１１】
ここで，第１部分の第２基板側の端部を第２方向に測定した長さより，第１部分の第１基板側の端部を第２方向に測定した長さが大きく形成することができ，その場合には，放電が開始される第１基板側がより広くなって，放電開始電圧をさらに低減させることができる。さらに，主放電は第２基板側で起こるので，第２基板側の放電の長さが増加して，放電効率を向上させることができる。また，放電の開始に寄与しない第２基板側の電極面積が減ることにより，第２基板側の電極に流れる電流の量が小さくなって放電電流の量を制限することができる。
【００１２】
また，第１部分の第２基板側の端部を第２方向に測定した長さより，第１部分の第１基板側の端部を第２方向に測定した長さが小さく形成されてもよく，その場合には，第１基板側で第１電極及び第２電極の第１部分間に起こるショートギャップ放電は弱く，第２基板側で第１電極及び第２電極の第１部分間に起こるロングギャップ放電は強く誘導することができる。すなわち，ロングギャップ放電を強く起こすことにより，発光効率を向上させることができる。
【００１３】
また，第１部分の第２基板側の端部より，第１部分の第１基板側の端部が各放電セルの内部に長く突出して形成されるとよく，第１基板側で対向する第１電極及び第２電極の第１部分の間隔が狭まって，放電開始電圧を低減させることができる。
【００１４】
上記課題を解決するために，本発明の別の観点によれば，所定間隔を有して対向配置され，相互の空間が複数の放電セルに区画される第１基板及び第２基板と，各放電セル内に形成される蛍光体層と，第１基板に第１方向に伸びて形成されるアドレス電極と，第１基板に，アドレス電極と電気的に絶縁されて，各放電セルに各々対応し，第１方向と交差する第２方向に伸びて形成される第１電極及び第２電極と，を備え，第１電極及び第２電極は，各々，各放電セルの放電空間に対応する第１部分，及び各放電セルの第１部分を第２方向に連結する第２部分を有し，第１電極の第１部分と，第２電極の第１部分とが，各放電セル内で離隔し，対向して形成され，第１電極及び第２電極において，第１部分は，第１方向または第２方向のいずれか一方向に測定した長さが相違なる電極層が複数積層されて形成されることを特徴とする，プラズマディスプレイパネルが提供される。
【００１５】
上記と同様に，表示電極である第１電極及び第２電極を，各放電セル内で対向して形成して表示電極間で発生する維持放電を対向放電に誘導することにより，放電開始電圧を低減させることができるとともに，第１電極及び第２電極は第１部分及び第２部分を有して，第１部分は第１方向または第２方向のいずれか一方向に測定した長さが相違なる電極層が複数積層されて形成されることにより，さらに放電開始電圧を低減させるか，またはプラズマディスプレイパネルの効率を向上させることができる。
【００１６】
ここで，第１部分の電極層を第２方向に測定した長さは，第２基板側の電極層から第１基板側の電極層に行くほど段階的に大きくすることができる。その場合には，放電が開始される第１基板側の電極層がより広くなって，放電開始電圧をさらに低減させることができる。さらに，主放電は第２基板側の電極層で起こるので，第２基板側の放電の長さが増加して，放電効率を向上させることができる。また，放電の開始に寄与しない第２基板側の電極面積が減ることにより，第２基板側の電極に流れる電流の量が小さくなって放電電流の量を制限することができる。
【００１７】
また，第１部分の電極層を第２方向に測定した長さは，第２基板側の電極層から第１基板側の電極層に行くほど段階的に小さくしてもよい。その場合には，第１基板側で第１電極及び第２電極の第１部分の電極層間に起こるショートギャップ放電は弱く，第２基板側の第１部分の電極層面積は大きくなるので，第２基板側で第１電極及び第２電極の第１部分の電極層間に起こるロングギャップ放電は強く誘導することができる。すなわち，ロングギャップ放電を強く起こすことにより，発光効率を向上させることができる。
【００１８】
また，第１部分は，第２基板側の電極層から第１基板側の電極層に行くほど各放電セルの内部に段階的に長く突出しているとよく，第１基板側で対向する第１電極及び第２電極の第１部分の電極層間隔が狭まって，放電開始電圧を低減させることができる。
【００１９】
第１部分の電極層を第１基板と平行に切った断面の面積は，第２基板側の電極層の断面積より，第１基板側の電極層の断面積が広く形成することができる。上記と同様に，放電が開始される第１基板側の電極層がより広くなって，放電開始電圧をさらに低減させることができ，第２基板側の放電の長さが増加して，放電効率を向上させることができる。
【００２０】
ここで，第２部分は，各放電セルの第１部分の第２基板側の電極層を第２方向に連結することもできるし，各放電セルの第１部分の第１基板側の電極層を第２方向に連結してもよい。
【００２１】
また，第１基板に，アドレス電極を覆うように形成される第１誘電層と，第１電極及び第２電極を取り囲み，第１電極と第２電極との間に空間を形成する第２誘電層とをさらに備えてもよい。この時，第２誘電層は，第１電極及び第２電極を取り囲んで第２方向に連続して形成するとよい。第２誘電層が第１電極及び第２電極を取り囲んで第２方向に長く形成されることにより，第１電極及び第２電極が各放電セルに対応して放電セルを区画するような構造に形成されるため，誤放電などの問題が発生しない。
【００２２】
また，第２誘電層は，第１電極及び第２電極を取り囲んで第２方向に形成される第１誘電層部と，第１方向に形成される第２誘電層部と，を有してもよい。第２誘電層が第２誘電層部を含むことにより，各放電セルをより独立的な空間として分離させることができ，各放電セルの放電をより正確に制御することができる。
【００２３】
また，第１電極または第２電極の少なくともいずれかは，第１方向に隣り合う一対の放電セルに共有されてもよい。さらに，第１電極及び第２電極は，第１方向に隣り合う一対の放電セルに共有され，第１電極と第２電極とが第１方向に交互に配置されてもよい。
【００２４】
第１電極及び第２電極と，第２基板との間に隔壁が位置し，複数の放電セルを区画することができる。その時，第２基板に，隔壁に対応して黒色層が形成されてもよい。黒色層を形成することにより，外光の反射を防止してプラズマディスプレイパネルの明室コントラストを向上させることができる。
【００２５】
蛍光体層は，第２基板側に形成されるとよい。蛍光体層は第２基板側に形成することにより，相違なる色の蛍光体層の相違した誘電率によって発生し得る放電開始電圧の不均一問題を防止することができる。
【００２６】
また，アドレス電極は，第１電極と第２電極との間の空間に対応して第２方向に拡張する突出部を有してもよい。これにより，アドレス放電に寄与しない部分を最小化しつつ，アドレス放電に寄与する部分を拡張してアドレス放電の効率を向上させることができる。
【発明の効果】
【００２７】
以上詳述したように本発明によれば，表示電極間で発生する維持放電を対向放電に誘導して放電開始電圧を低減させるとともに，表示電極の背面基板側と前面基板側とで大きさが相違するようにしたことにより，放電開始電圧をさらに低減させ，プラズマディスプレイパネルの効率を向上させることができる。
【発明を実施するための最良の形態】
【００２８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２９】
（第１の実施の形態）
図１は第１の実施の形態によるプラズマディスプレイパネルを示す部分分解斜視図，図２は図１のＩＩ−ＩＩ線に沿って見た部分断面図である。そして，図３は第１の実施の形態の各放電セルに対応する第１電極と第２電極を示す部分斜視図，図４は第１の実施の形態によるプラズマディスプレイパネルの一部を平面で示す説明図である。
【００３０】
図１に示すように，第１の実施の形態によるプラズマディスプレイパネルは，任意の大きさを有する背面基板１０と前面基板２０が互いに所定の間隔を置いて実質的に平行に配置され，背面基板１０と前面基板２０との間の空間は隔壁２６によって複数の放電セル２８に区画される。
【００３１】
これをより詳しく説明すれば，背面基板１０と対向する前面基板２０の面には隔壁２６が形成されて放電セル２８が区切られる。隔壁２６は，第１方向（図面のｙ軸方向）に沿って形成される第１隔壁部材２６ａと，この第１隔壁部材２６ａと交差する第２方向（図面のｘ軸方向）に沿って形成される第２隔壁部材２６ｂとを有する。
【００３２】
しかし，本発明の隔壁構造は前述した構造に限定されるものではない。したがって，第１方向に形成される隔壁部材のみでなるストライプ型隔壁構造も本発明に適用できるだけでなく，放電セルを区画する多様な形状の隔壁構造が適用できる。他の例として，前面基板２０に誘電層（図示せず）を形成した後，この誘電層上に隔壁２６を形成することも可能であり，これも本発明の範囲に属する。
【００３３】
各放電セル２８内には，紫外線を吸収して可視光を放出する赤色，青色及び緑色の蛍光体層２９が形成され，プラズマ放電を起こすように，放電ガス（一例として，キセノン（Ｘｅ），ネオン（Ｎｅ）などを含む混合ガス）が満たされる。本実施の形態において，蛍光体層２９は隔壁２６の側面と，隔壁２６の間で前面基板２０に隣接した底面とに形成される。
【００３４】
そして，前面基板２０と対向する背面基板１０の面には，第１方向にアドレス電極１２が形成され，これらアドレス電極１２を覆うように，背面基板１０の全面に第１誘電層１４が形成される。本実施形態において，アドレス電極１２は均一な線幅を有し，ストライプ形態に形成される。
【００３５】
第１誘電層１４上には，第１誘電層１４によってアドレス電極１２と電気的に絶縁されつつ，第２方向に第１電極１５と第２電極１６が形成される。本実施の形態において，第１電極１５と第２電極１６は各放電セル２８に対応して形成され，第１方向に連続的に配置される一対の放電セル２８において，第１電極１５，第２電極１６，第１電極１５，第２電極１６の配列が順次繰り返されるように配置される。
【００３６】
ここで，第１電極１５はアドレス電極１２とともにアドレス区間でのアドレス放電に関与し，第２電極１６は第１電極１５とともに維持区間での維持放電に関与する。すなわち，第１電極１５はスキャン電極として機能し，第２電極１６は維持電極として機能する。しかし，各電極は印加される信号電圧によってその役目を異にすることができるので，以上に限定される必要はない。
【００３７】
図２に示すように，第１電極１５及び第２電極１６のそれぞれは，各放電セル２８の放電空間に対応する第１部分１５ａ，１６ａ，及び第１部分１５ａ，１６ａを第２方向に連結する第２部分１５ｂ，１６ｂを有している。
【００３８】
この際，第１電極１５の第１部分１５ａと第２電極１６の第１部分１６ａとは，各放電セル２８で相互間に空間を置いて対向配置される。このように，第１電極１５と第２電極１６とが各放電セル２８で互いに対向するように形成されるので，第１電極１５と第２電極１６との間で起こる維持放電を対向放電に誘導することができる。したがって，維持放電が面放電に誘導される従来のプラズマディスプレイパネルより維持放電の放電開始電圧を低減させることができる。
【００３９】
この際，第１部分１５ａ，１６ａの前面基板２０側の端部よりも，第１部分１５ａ，１６ａの背面基板１０側の端部が各放電セル２８の内部に大きく突出される。したがって，第１及び第２電極の第１部分１５ａ，１６ａのそれぞれを第１方向に測定した長さは，第１部分１５ａ，１６ａの前面基板２０側の端部よりも，第１部分１５ａ，１６ａの背面基板１０側の端部において，長く形成される。
【００４０】
そして，第１及び第２電極１５，１６の第１部分１５ａ，１６ａのそれぞれを第２方向に測定した長さも，第１部分１５ａ，１６ａの前面基板２０側の端部よりも，第１部分１５ａ，１６ａの背面基板１０側の端部において，長く形成される。
【００４１】
このため，本実施の形態においては，図３に示すように，第１及び第２電極１５，１６の第１部分１５ａ，１６ａのそれぞれが，相違なる長さと幅を有する電極層Ａ１，Ａ２，Ａ３，及び電極層Ｂ１，Ｂ２，Ｂ３が，少なくとも二つ以上積層されてなる。ここで，各電極層Ａ１，Ａ２，Ａ３，及び電極層Ｂ１，Ｂ２，Ｂ３は，互いに接触するように形成されて，互いに電気的に連結されている。本実施の形態において，第２部分１５ｂ，１６ｂは，各々前面基板２０側に位置する電極層Ａ１，Ｂ１と連結する。
【００４２】
上記においては，第１部分１５ａ，１６ａが前面基板２０側に位置する第１の電極層Ａ１，Ｂ１と，背面基板１０側に位置する第３の電極層Ａ３，Ｂ３，及び第１の電極層Ａ１，Ｂ１と第３の電極層Ａ３，Ｂ３との間に位置する第２の電極層Ａ２，Ｂ２の３層からなったものを示して説明したが，本発明はこれに限定されるものではない。つまり，第１部分が少なくとも二つ以上の電極層からなるすべての場合に適用できる。
【００４３】
このような第１及び第２電極の第１部分１５ａ，１６ａの各電極層Ａ１，Ａ２，Ａ３，及び電極層Ｂ１，Ｂ２，Ｂ３をより詳細に説明すれば次のようである。図３を参照すると，第１電極１５の第１部分１５ａは，ｌ１よりｌ２が大きく，ｌ２よりｌ３がもっと大きい条件を満足する。ここで，ｌ１，ｌ２，ｌ３のそれぞれは，第１電極１５の第１部分１５ａの第１の電極層Ａ１，第２の電極層Ａ２，第３の電極層Ａ３を第２方向に測定した長さである。
【００４４】
そして，第２電極１６の第１部分１６ａは，ｌ４よりｌ５が大きく，ｌ５よりｌ６が大きい条件を満足する。ここで，ｌ４，ｌ５，ｌ６のそれぞれは，第２電極１６の第１部分１６ａの第１の電極層Ｂ１，第２の電極層Ｂ２，第３の電極層Ｂ３を第２方向に測定した長さである。
【００４５】
すなわち，第１及び第２電極の第１部分１５ａ，１６ａのそれぞれを第２方向に測定した長さが前面基板２０側の第１の電極層Ａ１，Ｂ１から背面基板１０側の第３の電極層Ａ３，Ｂ３に行くほど段階的に大きくなる。したがって，すべての電極層Ａ１，Ａ２，Ａ３，及び電極層Ｂ１，Ｂ２，Ｂ３が形成された部分で，第１部分１５ａ，１６ａを第１方向に垂直な面で切って見た断面は，前面基板２０側の第１の電極層Ａ１，Ｂ１から背面基板１０側の第３の電極層Ａ３，Ｂ３に向かって段階的に長さが長くなる階段形状を有する。
【００４６】
そして，第１電極１５の第１部分１５ａは，ｔ１よりｔ２が大きく，ｔ２よりｔ３が大きい条件を満足する。ここで，ｔ１，ｔ２，ｔ３のそれぞれは，第１電極１５の第１部分１５ａの第１の電極層Ａ１，第２の電極層Ａ２，第３の電極層Ａ３を第１方向に測定した長さである。そして，第２電極１６の第１部分１６ａは，ｔ４よりｔ５が大きく，ｔ５よりｔ６が大きい条件を満足する。ここで，ｔ４，ｔ５，ｔ６のそれぞれは，第２電極１６の第１部分１６ａの第１の電極層Ｂ１，第２の電極層Ｂ２，第３の電極層Ｂ３を第１方向に測定した長さである。
【００４７】
すなわち，第１部分１５ａ，１６ａのそれぞれは，第１方向に測定した長さが前面基板２０側の第１の電極層Ａ１，Ｂ１から背面基板１０側の第３の電極層Ａ３，Ｂ３に向かって段階的に大きくなることができる。したがって，すべての電極層Ａ１，Ａ２，Ａ３，及び電極層Ｂ１，Ｂ２，Ｂ３が形成された部分で第１部分１５ａ，１６ａを第２方向に垂直な面で切って見た断面は，前面基板２０側の第１の電極層Ａ１，Ｂ１から背面基板１０側の第３の電極層Ａ３，Ｂ３に向かって段階的に長さが長くなる階段形状を有する。
【００４８】
これにより，第１部分１５ａ，１６ａの電極層Ａ１，Ａ２，Ａ３，及び電極層Ｂ１，Ｂ２，Ｂ３を各々前記基板１０，２０に平行な面で切った面の面積は，前面基板２０側の第１の電極層Ａ１，Ｂ１から背面基板１０側の第３の電極層Ａ３，Ｂ３に段々広く形成される。このような形状を有する第１及び第２電極１５，１６は印刷法などの方法によって容易に製造することができる。
【００４９】
本実施の形態において，第１部分１５ａ，１６ａは，電極層の層数が相違したものも，互いに対応する層で第１方向または第２方向に測定した長さが相違したものも可能であり，これらも本発明の範囲に属する。
【００５０】
このような第１及び第２電極１５，１６を取り囲むように第２誘電層１８が形成される。図４に示すように，本実施の形態において，第２誘電層１８は，第１電極１５と第２電極１６との間に放電のための空間が設けられるように，第１及び第２電極１５，１６を取り囲んで第２方向に長く形成される。第１及び第２電極１５，１６が各放電セル２８に対応して放電セル２８を区画するような構造に形成されるため，誤放電などの問題が発生しない。
【００５１】
より明確な理解のため，図４においては，第１及び第２電極１５，１６と第２誘電層１８は，第１及び第２電極１５，１６の電極層Ａ１，Ａ２，Ａ３，及び電極層Ｂ１，Ｂ２，Ｂ３を基板１０，２０と平行な面で切って見た断面で示した。これは以下の平面図でも同様である。
【００５２】
また，図１に示すように，第１誘電層１４と第２誘電層１８を覆うように背面基板１０の全面にＭｇＯ保護膜１９が形成される。このようなＭｇＯ保護膜１９は，プラズマ放電時に電離されたイオンが衝突することにより，アドレス電極１２，第１電極１５，第２電極１６，第１誘電層１４及び第２誘電層１８が損傷することを防止する役目をする。また，ＭｇＯ保護膜１９は高い二次電子放出係数を有するので，ＭｇＯ保護膜１９を形成することにより放電効率を高める役目もする。
【００５３】
前述したように，本実施の形態においては，放電に関与するアドレス電極１２，第１電極１５，及び第２電極１６がともに背面基板１０に形成される。すなわち，アドレス放電に関与するアドレス電極１２と第１電極１５とが，同一の背面基板１０に形成されることにより，アドレス放電の経路を短くすることができ，結果的に，アドレス放電の放電開始電圧を低減させることができる。一方，蛍光体層２９は前面基板２０側に形成することにより，相違なる色の蛍光体層の相違した誘電率によって発生し得る放電開始電圧の不均一問題を防止することができる。
【００５４】
そして，放電に関与するすべての電極（アドレス電極１２，第１電極１５，第２電極１６）が，前面基板２０側に位置しないので，プラズマ放電によって発生した可視光の透過率を向上させることができる。また，第１及び第２電極１５，１６を電気伝導性に優れた金属電極のみで構成することができるので，透明電極及び金属電極の両方を備える従来のプラズマディスプレイパネルの製造工程を単純化させ，製作原価を低めることができる。
【００５５】
このようなプラズマディスプレイパネルの放電について，図５に基づいてより詳細に説明する。図５は第１の実施の形態によるプラズマディスプレイパネルの背面プレートを示す部分断面図である。ここで，背面プレートとは，背面基板１０にアドレス電極１２，第１及び第２電極１５，１６などが形成されたものをいう。
【００５６】
本実施の形態においては，第１及び第２電極１５，１６が背面基板１０側で相手側へより大きく突出されるので，第１電極１５と第２電極１６が背面基板１０側でショートギャップ（ｓｈｏｒｔ  ｇａｐ）Ｇ２を有し，前面基板（図１の符号２０参照，以下同一）側でロングギャップ（ｌｏｎｇ  ｇａｐ）Ｇ１を有する。よって，図５に示すように，背面基板１０側のショートギャップＧ２で放電が開始され前面基板２０側のロングギャップＧ１に放電が拡散する。
【００５７】
すなわち，本実施の形態においては，背面基板１０側のショートギャップＧ２で放電が開始されることにより，放電開始電圧を低めることができる。一般的に，放電開始電圧は電極の面積が大きいほど低下する。本実施の形態においては，第１及び第２電極１５，１６の面積を，放電が開始される背面基板１０側の電極層でより広く形成することで，放電開始電圧をさらに低減させることができる。
【００５８】
また，主放電はロングギャップを有する前面基板２０側の電極層で起こるようにすることで，放電の長さの増加によって，非常に小さな電圧でプラズマ放電を活発に起こすことができる陽光柱領域を増やすことができ，放電効率を向上させることができる。一般的に，電極に流れる電流の量は電極の面積が大きくなるほど多くなるので，放電の開始に寄与しない前面基板２０側の電極層の面積を減らして放電電流の量を制限することができる。
【００５９】
以下では，第１の実施の形態の変形例について詳細に説明する。第１の実施の形態の変形例は第１の実施の形態と基本的な構成が同一であるので，第１の実施の形態と同一の構成要素には同一の参照符号を付する。
【００６０】
図６は第１の実施の形態の第１の変形例を部分的に平面で示す説明図である。図６に示すように，本変形例において，第２誘電層３２は第１及び第２電極１５，１６を取り囲んで第２方向に形成される第１誘電層部３２ａと，第１方向に形成される第２誘電層部３２ｂとを含む。このような第２誘電層部３２ｂは第１隔壁部材２６ａに対応する位置に形成される。
【００６１】
本変形例においては，第２誘電層３２が第２誘電層部３２ｂを含むことにより，各放電セル２８をより独立的な空間として分離させることができる。これにより，各放電セル２８の放電をより正確に制御することができる。
【００６２】
図７は第１の実施の形態の第２の変形例を部分的に平面で示す説明図である。本変形例において，スキャン電極として機能する第１電極３３と維持電極として機能する第２電極３４は，第１方向に隣り合う一対の放電セル２８で，第１電極３３，第２電極３４と，第２電極３４，第１電極３３と，のように逆の順番に配列される。すなわち，前記一対の放電セル２８で（スキャン電極，維持電極），（維持電極，スキャン電極）の配列が順次繰り返される。
【００６３】
図８は第１の実施の形態の第３の変形例を部分的に平面で示す説明図である。図８に示すように，本変形例においては，第２電極３６は第１方向に隣り合う一対の放電セル２８に共有されるように形成される。よって，第１方向に隣り合う一対の放電セル２８で第１電極３５，第２電極３６，第１電極３５の配列が形成され，第１方向に前記の配列が順次繰り返されることができる。本変形例によるプラズマディスプレイパネルにおいて，一例として，第１電極３５とアドレス電極１２に電圧を印加してアドレス放電を起こし，第１電極３５と第２電極３６に電圧を印加して維持放電を起こすことができる。
【００６４】
図９は第１の実施の形態の第４の変形例を部分的に平面で示す説明図である。図９に示すように，本変形例においては，アドレス電極３８のなかで，第１電極１５と第２電極１６との間に対応する部分に突出部３８ａが形成される。この際，突出部３８ａはアドレス電極３８の両側から第２方向に拡張される。
【００６５】
本変形例においては，アドレス電極３８のなかで，第１電極１５と第２電極１６の下部の面積を減らしつつ，第１電極１５と第２電極１６との間の空間に対応して形成される部分の面積を大きくする。したがって，アドレス放電に寄与しない部分を最小化しつつ，アドレス放電に寄与する部分を拡張してアドレス放電の効率を向上させることができる。
【００６６】
図１０は第１の実施の形態の第５の変形例を部分的に平面で示す説明図である。図１０に示すように，本変形例においては，前面基板２０と隔壁２６との間に，隔壁２６が形成された部分に対応して黒色層４０が形成される。このような黒色層４０を形成することにより，外光の反射を防止してプラズマディスプレイパネルの明室コントラストを向上させることができる。
【００６７】
そのほかの例として，前面基板２０に誘電層（図示せず）を形成した後，この誘電層上に隔壁２６を形成する場合には，隔壁２６と前記誘電層との間に黒色層４０を形成することができるが，これも本発明の範囲に属する。
【００６８】
図１１は第１の実施の形態の第６の変形例において，各放電セルに対応する第１電極と第２電極を示す部分斜視図である。本変形例において，第１及び第２電極４１，４２は，各放電セルに対応するように区画される第１部分４１ａ，４２ａ，及び第１部分４１ａ，４２ａを第２方向に連結する第２部分４１ｂ，４２ｂを含む。この際，第１及び第２電極４１，４２の第２部分４１ｂ，４２ｂは背面基板側の電極層を連結するように形成される。しかし，本発明はこれに限定されるものではなく，第２部分が第１部分の一部を連結するすべての場合に適用できる。
【００６９】
図１２は第１の実施の形態の第７の変形例を部分的に平面で示す説明図である。図１２に示すように，本変形例において，第１電極４５及び第２電極４６のそれぞれは第１方向に隣り合う一対の放電セル２８に共有されるように形成される。これにより，各第２隔壁部材２６ｂに第１電極４５及び第２電極４６のいずれか一つが対応し，第１方向に第１電極４５と第２電極４６が交互に配置される。
【００７０】
この際，プラズマディスプレイパネルの使用環境などを考慮して，第１方向に隣り合う一対の放電セル２８を一つのサブピクセルに駆動したり，各放電セル２８を一つのサブピクセルに駆動したりすることができる。
【００７１】
（第２の実施の形態）
以下では，第２の実施の形態によるプラズマディスプレイパネルについて詳細に説明する。第２の実施の形態は，第１の実施の形態と基本的な構成が同一であり，第１及び第２電極の形状が相違した実施形態である。本実施の形態において，第１の実施の形態と同一構成要素は詳細な説明を省略し，同一の参照符号を付する。
【００７２】
図１３は第２の実施の形態によるプラズマディスプレイパネルを示す部分分解斜視図，図１４は第２の実施の形態において各放電セルに対応する第１電極及び第２電極を示す部分斜視図である。そして，図１５は第２の実施の形態によるプラズマディスプレイパネルを部分的に平面で示す説明図である。
【００７３】
図１３に示すように，本実施の形態において，第１電極１１５と第２電極１１６のそれぞれは，各放電セル２８に対応して区画するように，第１部分１１５ａ，１１６ａ，及び第１部分１１５ａ，１１６ａを第２方向に連結する第２部分１１５ｂ，１１６ｂを有している。この際，第１電極１１５の第１部分１１５ａと第２電極１１６の第１部分１１６ａは，各放電セル２８で相互間に空間を置いて対向配置される。これにより，第１電極１１５と第２電極１１６との間で起こる維持放電を対向放電に誘導することができるので，維持放電の放電開始電圧を低減させることができる。
【００７４】
この際，第１及び第２電極１１５，１１６の第１部分１１５ａ，１１６ａのそれぞれを第２方向に測定した長さは，第１部分１１５ａ，１１６ａの前面基板２０側の端部でより第１部分１１５ａ，１１６ａの背面基板１０側の端部でもっと小さく形成される。
【００７５】
そして，第１部分１１５ａ，１１６ａの前面基板２０側の端部より第１部分１１５ａ，１１６ａの背面基板１０側の端部が各放電セル２８の内部にもっと大きく突出される。したがって，第１及び第２電極の第１部分１１５ａ，１１６ａのそれぞれを第１方向に測定した長さは，第１部分１１５ａ，１１６ａの前面基板２０側の端部でより第１部分１１５ａ，１１６ａの背面基板１０側の端部でもっと大きく形成される。
【００７６】
このため，本実施の形態においては，図１４に示すように，第１及び第２電極の第１部分１１５ａ，１１６ａのそれぞれは相違した長さと幅を有する少なくとも二つ以上の電極層からなる。本実施の形態においては，第１部分１１５ａ，１１６ａが３層の電極層からなったものを示して説明したが，本発明はこれに限定されるものではない。
【００７７】
この際，第１電極１１５の第１部分１１５ａは，ｌ１１よりｌ１２が小さく，ｌ１２よりｌ１３が小さい条件を満足する。ここで，ｌ１１，ｌ１２，ｌ１３のそれぞれは，第１電極１１５の第１部分１１５ａの第１の電極層Ａ１１，第２の電極層Ａ１２，第３の電極層Ａ１３を第２方向に測定した長さである。そして，第２電極１１６の第１部分１１６ａは，ｌ１４よりｌ１５が小さく，ｌ１５よりｌ１６が小さい条件を満足する。ここで，ｌ１４，ｌ１５，ｌ１６のそれぞれは，第２電極１１６の第１部分１１６ａで第１の電極層Ｂ１１，第２の電極層Ｂ１２，第３の電極層Ｂ１３を第２方向に測定した長さである。
【００７８】
すなわち，第１部分１１５ａ，１１６ａのそれぞれは，第２方向に測定した長さが前面基板２０側に位置する第１の電極層Ａ１１，Ｂ１１から背面基板１０側に位置する第３の電極層Ａ１３，Ｂ１３に段階的に小さくなることができる。したがって，すべての電極層Ａ１１，Ａ１２，Ａ１３，及び電極層Ｂ１１，Ｂ１２，Ｂ１３が形成された部分で，第１部分１１５ａ，１１６ａを第１方向に垂直な面で切って見た断面は，前面基板２０から背面基板１０に行くほど長さが段階的に短くなる階段形状を有する。
【００７９】
そして，第１電極１１５の第１部分１１５ａは，ｔ１１よりｔ１２が大きく，ｔ１２よりｔ１３が大きい条件を満足する。ここで，ｔ１１，ｔ１２，ｔ１３のそれぞれは，第１電極１１５の第１部分１１５ａで第１の電極層Ａ１１，第２の電極層Ａ１２，第３の電極層Ａ１３を第１方向に測定した長さである。そして，第２電極１１６の第１部分１１６ａは，ｔ１４よりｔ１５が大きく，ｔ１５よりｔ１６が大きい条件を満足する。ここで，ｔ１４，ｔ１５，ｔ１６のそれぞれは，第２電極１１６の第１部分１１６ａで第１の電極層Ｂ１１，第２の電極層Ｂ１２，第３の電極層Ｂ１３を第１方向に測定した長さである。
【００８０】
すなわち，第１及び第２電極の第１部分１１５ａ，１１６ａのそれぞれを第１方向に測定した長さは，前面基板２０側に位置する第１の電極層Ａ１１，Ｂ１１から背面基板１０側に位置する第３の電極層Ａ１３，Ｂ１３に段階的に大きくなることができる。したがって，すべての電極層Ａ１１，Ａ１２，Ａ１３，及び電極層Ｂ１１，Ｂ１２，Ｂ１３が形成された部分で第１及び第２電極の第１部分１１５ａ，１１６ａを第２方向に垂直な面で切って見た断面は背面基板１０に行くほど長さが大きくなる階段形状を有する。
【００８１】
この際，このような第１及び第２電極１１５，１１６は，第１部分１１５ａ，１１６ａを形成する電極層の層数が相違したものも可能であり，各階で第１方向または第２方向に測定した長さが相違するように形成されるものも可能であるが，これらも本発明の範囲に属する。
【００８２】
本実施形態において，第１電極１１５と第２電極１１６は，第１方向に連続的に配置される一対の放電セル２８で，第１電極１１５及び第２電極１１６と，第１電極１１５及び第２電極１１６と，の配列が順次繰り返されるように配置される。
【００８３】
このような第１及び第２電極１１５，１１６を取り囲むように第２誘電層１１８が形成される。図１５に示すように，第２誘電層１１８は第１及び第２電極１１５，１１６を取り囲んで第２方向に長く形成される。
【００８４】
本実施形態においては，第１及び第２電極１１５，１１６が背面基板１０側で互いに向かってもっと大きく突出されるので，第１電極１１５と第２電極１１６が背面基板１０側でショートギャップを有し，前面基板２０側でロングギャップを有する。したがって，背面基板１０側でのショートギャップで放電が開始されて前面基板２０側のロングギャップに放電が拡散する。これにより，本実施形態においては，放電開始電圧を低めることとともに放電効率を向上させることができる。
【００８５】
そして，第１電極１１５及び第２電極１１６の第１部分１１５ｂ，１１６ｂを第２方向に測定した長さが背面基板１０側でより前面基板２０側でもっと大きく形成されるので，ショートギャップ放電は弱く，ロングギャップ放電は強く誘導することができる。すなわち，本実施の形態においては，ロングギャップ放電を強く起こすことにより，発光効率を向上させることができる。
【００８６】
以下では第２の実施の形態の変形例について詳細に説明する。第２の実施の形態の変形例は第２の実施の形態と基本的な構成が同一であるので，第２の実施の形態と同一の構成要素には同一参照符号を付する。
【００８７】
図１６は第２の実施の形態の第１の変形例を部分的に平面で示す説明図である。本変形例において，第２誘電層１３２は，第１及び第２電極１１５，１１６を取り囲んで第２方向に形成される第１誘電層部１３２ａと，第１方向に形成される第２誘電層部１３２ｂとを含む。このような第２誘電層部１３２ｂの形成により，各放電セル２８での放電をより正確に制御することができる。
【００８８】
図１７は第２の実施の形態の第２の変形例を部分的に平面で示す説明図である。本変形例においては，第１方向に隣合う放電セル２８で第１電極１３３，第２電極１３４と，第２電極１３４，第１電極１３３との配列が順次繰り返されるように配置される。
【００８９】
図１８は第２の実施の形態の第３変形例を部分的に平面で示す説明図である。本変形例において，第２電極１３６は，第１方向に隣り合う一対の放電セル２８に共有されるように形成される。本変形例においては，一例として，第１電極１３５とアドレス電極１２に電圧を印加してアドレス放電を起こし，第１電極１３５と第２電極１３６に交互に電圧を印加して維持放電を起こすことができる。
【００９０】
図１９は第２の実施の形態の第４変形例を部分的に平面で示す説明図である。図１９に示すように，本変形例においては，アドレス電極１３８のなかで，第１電極１１５と第２電極１１６との間に対応して形成される部分に突出部１３８ａが形成される。これにより，本変形例においては，アドレス放電の効率を向上させることができる。
【００９１】
図２０は第２の実施の形態の第５変形例を示す部分断面図である。図２０に示すように，本変形例においては，前面基板２０と隔壁２６との間で，隔壁２６の形成部に対応して黒色層１４０が形成される。このような黒色層１４０は，外光の反射を防止してプラズマディスプレイパネルの明室コントラストを向上させる役目をする。
【００９２】
図２１は第２の実施の形態の第６変形例において各放電セルに対応する第１電極１４１と第２電極１４２を示す部分斜視図である。本変形例において，第１部分１４１ａ，１４２ａを連結する第２部分１４１ｂ，１４２ｂは背面基板側に位置する電極層を第２方向に連結する。
【００９３】
図２２は第２の実施の形態の第７変形例を部分的に平面で示す説明図である。図２２に示すように，本変形例においては，第１電極１４５及び第２電極１４６のそれぞれが第１方向に隣り合う一対の放電セルに共有され，第１方向に第１電極１４５と第２電極１４６が交互に配置される。この際，第１方向に隣り合う一対の放電セル２８が一つのサブピクセルをなすこともできるし，あるいは各放電セル２８が一つのサブピクセルをなすこともできる。
【００９４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００９５】
本発明は，プラズマディスプレイパネルに適用可能であり，放電開始電圧を低減し，効率を向上することができるプラズマディスプレイパネルに適用可能である。
【図面の簡単な説明】
【００９６】
【図１】第１の実施の形態によるプラズマディスプレイパネルを示す部分分解斜視図である。
【図２】図１のＩＩ−ＩＩ線に沿って見た部分断面図である。
【図３】第１の実施の形態において各放電セルに対応する第１電極及び第２電極を示す部分斜視図である。
【図４】第１の実施の形態によるプラズマディスプレイパネルを部分的に平面で示す説明図である。
【図５】第１の実施の形態によるプラズマディスプレイパネルの背面プレートを示す部分断面図である。
【図６】第１の実施の形態の第１の変形例を部分的に平面で示す説明図である。
【図７】第１の実施の形態の第２の変形例を部分的に平面で示す説明図である。
【図８】第１の実施の形態の第３の変形例を部分的に平面で示す説明図である。
【図９】第１の実施の形態の第４の変形例を部分的に平面で示す説明図である。
【図１０】第１の実施の形態の第５の変形例を示す部分断面図である。
【図１１】第１の実施の形態の第６の変形例において各放電セルに対応する第１電極及び第２電極を示す部分斜視図である。
【図１２】第１の実施の形態の第７の変形例を部分的に平面で示す説明図である。
【図１３】第２の実施の形態によるプラズマディスプレイパネルを示す部分分解斜視図である。
【図１４】第２の実施の形態において各放電セルに対応する第１電極及び第２電極を示す部分斜視図である。
【図１５】第２の実施の形態によるプラズマディスプレイパネルを部分的に平面で示す説明図である。
【図１６】第２の実施の形態の第１の変形例を部分的に平面で示す説明図である。
【図１７】第２の実施の形態の第２の変形例を部分的に平面で示す説明図である。
【図１８】第２の実施の形態の第３の変形例を部分的に平面で示す説明図である。
【図１９】第２の実施の形態の第４の変形例を部分的に平面で示す説明図である。
【図２０】第２の実施の形態の第５の変形例を部分的に平面で示す説明図である。
【図２１】第２の実施の形態の第６変形例において各放電セルに対応する第１電極及び第２電極を示す部分斜視図である。
【図２２】第２の実施の形態の第７の変形例を部分的に平面で示す説明図である。
【符号の説明】
【００９７】
１０    背面基板
１２    アドレス電極
１４    第１誘電層
１５    第１電極
１５ａ  第１部分
１５ｂ  第２部分
１６    第２電極
１６ａ  第１部分
１６ｂ  第２部分
１８    第２誘電層
１９    ＭｇＯ保護膜
２０    前面基板
２６    隔壁
２６ａ  第１隔壁部材
２６ｂ  第２隔壁部材
２８    放電セル
２９    蛍光体層
４０    黒色層
【図１】
2006147562.tif 000003
【図２】
2006147562.tif 000004
【図３】
2006147562.tif 000005
【図４】
2006147562.tif 000006
【図５】
2006147562.tif 000007
【図６】
2006147562.tif 000008
【図７】
2006147562.tif 000009
【図８】
2006147562.tif 000010
【図９】
2006147562.tif 000011
【図１０】
2006147562.tif 000012
【図１１】
2006147562.tif 000013
【図１２】
2006147562.tif 000014
【図１３】
2006147562.tif 000015
【図１４】
2006147562.tif 000016
【図１５】
2006147562.tif 000017
【図１６】
2006147562.tif 000018
【図１７】
2006147562.tif 000019
【図１８】
2006147562.tif 000020
【図１９】
2006147562.tif 000021
【図２０】
2006147562.tif 000022
【図２１】
2006147562.tif 000023
【図２２】
2006147562.tif 000024